(57)【要約】【課題】  向上した防水性および耐久性を有する照明看板用発光ダイオードアセンブリを提供する。【解決手段】  発光ダイオードアセンブリ１００は、上面が開放され、両側面の上部に連結溝がそれぞれ形成されたケースを備える。プリント回路基板１２０は、ケース１１０の内部に設けられ、上面に多数の発光ダイオード１２２が設けられる。中空のキャップ１３０は、ケースの連結溝にそれぞれ嵌合され、多数のワイヤ１０２が貫通される。合成樹脂材、即ち、エポキシ樹脂は、ケースの内部に充填され、プリント回路基板、キャップ、および発光ダイオードをカバーする。【選択図】  図１
2004310090.tif 000002
【特許請求の範囲】
【請求項１】
照明看板用発光ダイオードアセンブリにおいて、
上面は開放され、両側面の上部には連結溝がそれぞれ形成されたケースと、
前記ケースの内部に設けられ、上面に多数の発光ダイオードが設けられたプリント回路基板と、
前記ケースの連結溝にそれぞれ嵌合され、多数のワイヤが貫通されるキャップと、
前記ケースの内部に充填され、前記プリント回路基板、前記キャップ、および前記発光ダイオードをカバーするための合成樹脂材と、
をそなえたことを特徴とする照明看板用発光ダイオードアセンブリ。
【請求項２】
請求項１記載の照明看板用発光ダイオードアセンブリにおいて、
前記キャップの下側縁部には、前記ケースの連結溝に嵌められる結合溝が形成され、
前記キャップの一側面には、前記ワイヤの貫通するガイド管が外向きに突出している
ことを特徴とする照明看板用発光ダイオードアセンブリ。
【請求項３】
請求項１記載の照明看板用発光ダイオードアセンブリにおいて、
前記プリント回路基板は、トランス、整流回路、定電圧回路および定電流回路を含み、
前記トランスは、前記ワイヤから供給される商用交流電圧を前記発光ダイオードの駆動電圧に適合するように降下し、
前記整流回路は、交流電圧を直流電圧に整流し、
前記定電圧回路および定電流回路は、前記ワイヤから供給される直流電圧を前記発光ダイオードの駆動電圧に適合するように維持させる
ことを特徴とする照明看板用発光ダイオードアセンブリ。
【請求項４】
請求項１記載の照明看板用発光ダイオードアセンブリにおいて、
前記プリント回路基板は、前記ワイヤから供給される直流電圧を前記発光ダイオードの駆動電圧に適合するように維持させるための定電圧回路および定電流回路を有する
ことを特徴とする照明看板用発光ダイオードアセンブリ。
【請求項５】
請求項１記載の照明看板用発光ダイオードアセンブリにおいて、
前記合成樹脂材は、エポキシ樹脂である
ことを特徴とする照明看板用発光ダイオードアセンブリ。
【発明の詳細な説明】
【技術分野】
【０００１】
本発明は、発光ダイオードに係り、より詳しくは、商業看板、道路標識、チャネル文字看板などといった多様な照明設備に対する発光ダイオードモジュールとしての使用が可能な照明看板用発光ダイオードアセンブリに関する。
【背景技術】
【０００２】
発光ダイオードは、相対的に低いメンテナンス費用、相対的に高い信頼性および長寿命を有することから、従来の白熱ランプ、蛍光ランプ、ネオンチューブ、および光ファイバー光源の代用として、多方面から応用されてきた。
【０００３】
発光ダイオードは、従来の光源に比べて非常に長い寿命を有する反面、相対的に電気エネルギーの消耗は少ない。現在、発光ダイオードのデザインの多くは、発光ダイオードを用いるチャネル文字看板などの分野で具体的な開発がなされている。
【０００４】
上述した照明看板用発光ダイオードアセンブリの一つの類型として、特許文献１（特許日：２００３年５月６日、特許権者：Chen H. Wu）には、照明看板用発光ダイオードモジュールが開示されている。
【特許文献１】米国特許第６，５５８，０２１号明細書
【発明の開示】
【発明が解決しようとする課題】
【０００５】
しかし、この発光ダイオードモジュールは、湿った環境および乾燥した環境下でのみ使用可能であり、濡れた環境では使用が不適切であった。つまり、濡れた環境で発光ダイオードモジュールを使用したときには、内部に水が浸入して部品の信頼性低下をもたらした。また、発光ダイオードモジュールは、ケースの外部に露出した状態にあるため、衝撃に因る破損の恐れがあった。さらに、コネクタワイヤは、コネクタに単純結合する構成であるため、断線が発生することがしばしばあった。
そこで、本発明は、前記問題点を解決するために案出されたもので、防水性および耐久性の向上した照明看板用発光ダイオードアセンブリを提供することを目的とする。
また、本発明の他の目的は、ワイヤの断線を防止することができる照明看板用発光ダイオードアセンブリを提供することにある。
【課題を解決するための手段】
【０００６】
前記目的を達成するために、本発明は、
照明看板用発光ダイオードアセンブリにおいて、
上面は開放され、両側面の上部には連結溝がそれぞれ形成されたケースと、
前記ケースの内部に設けられ、上面に多数の発光ダイオードが設けられたプリント回路基板と、
前記ケースの連結溝にそれぞれ嵌合され、多数のワイヤが貫通される中空のキャップと、
前記ケースの内部に充填され、前記プリント回路基板、前記キャップ、および前記発光ダイオードをカバーするための合成樹脂材と、
を含むことを特徴とする。
【発明の効果】
【０００７】
本発明による照明看板用発光ダイオードアセンブリは、ケースにワイヤを通過させるとき、ＰＶＣなどの材質からなるキャップを利用することで、ワイヤの断線を防止することができる。また、ケースの収納室にエポキシ樹脂を充填してプリント回路基板、トランス、および発光ダイオードを外部に露出されないようにカバーすることで、防水機能を有するとともに外部からの衝撃による破損を防止することができる。
【０００８】
一方、プリント回路基板に交流電圧が供給されれば、定電圧回路および定電流回路によって発光ダイオードの駆動電圧に適合するように電圧を維持して供給することができるため、発光ダイオードの明度が常に一定となるとの効果がある。また、プリント回路基板に直流電圧が供給されれば、定電圧回路および定電流回路によって発光ダイオードの駆動電圧に適合するように電圧を維持して供給することができるため、発光ダイオードの明度が常に一定となるとの効果がある。
【発明を実施するための最良の形態】
【０００９】
以下、添付図面を参照して本発明の実施例について詳細に説明する。
【実施例１】
【００１０】
図１には、本発明の望ましい実施例である、照明看板用発光ダイオードアセンブリ１００が分解図示されている。発光ダイオードアセンブリ１００は、照明看板１０４の上面に配置される。
【００１１】
図１に示すように、本発明の照明看板用発光ダイオードアセンブリ１００には、ワイヤ１０２が連結される。ダイオードアセンブリ１００には、上面が開放されたケース１１０が備えられている。ケース１１０内には収納室１１４が形成され、両側面の上部には連結溝１１２がそれぞれ形成されている。望ましくは、連結溝１１２は半円形である。ケース１１０の両側面の下端からはブラケット１１６が互いに対向する方向に突出する。ブラケット１１６には締結溝１１７が形成される。
【００１２】
プリント回路基板１２０はケース１１０の内部に設けられる。プリント回路基板１２０の上面には多数の発光ダイオード１２２が設けられる。プリント回路基板１２０は、ワイヤ１０２から供給される商用交流電圧を発光ダイオード１２２の駆動電圧に適合するように降下するためのトランス１４０と、交流電圧を直流電圧に整流するための整流回路と、ワイヤ１０２から供給される直流電圧を発光ダイオード１２２の駆動電圧に適合するように維持するための定電圧回路および定電流回路を有する。一方、プリント回路基板１２０は、ワイヤ１０２から供給される直流電圧を前記発光ダイオード１２２の駆動電圧に適合するように維持するための定電圧回路および定電流回路を有する。
【００１３】
多数のキャップ１３０は、ケース１１０の連結溝１１２にそれぞれ嵌合される。この嵌合のために、キャップ１３０の上部は直線状に形成され、下部はケース１１０の連結溝１１２と対応した半円形状に形成される。キャップ１３０の中央には多数のワイヤ１０２が貫通する。キャップ１３０の下側縁部には、ケース１１０の連結溝１１２形成部位が嵌められるように結合溝１３２が形成されている。キャップ１３０の一側面には、ワイヤ１０２が貫通する一対のガイド管１３４が外向きに突出している。ガイド管１３４は、一対が一組になっている。
【００１４】
合成樹脂材は、ケース１１０の内部に充填され、プリント回路基板１２０、キャップ１３０、および発光ダイオード１２２をカバーする。合成樹脂材は、エポキシ樹脂によって形成されることが望ましい。
【００１５】
次に、本発明の望ましい実施例である照明看板用発光ダイオードアセンブリの組立状態について説明する。
まず、プリント回路基板１２０の上面には、多数の発光ダイオード１２２がそれぞれ結合される。プリント回路基板１２０の底面には、ワイヤ１０２の先端が半田付けまたはピン構造で結合される。このとき、ワイヤ１０２はプリント回路基板１２０の両側にそれぞれ結合される。プリント回路基板１２０の底面には、トランス１４０が結合される。
【００１６】
このように、ワイヤ１０２とトランス１４０とがそれぞれ結合されたプリント回路基板１２０は、ケース１１０に形成された収納室１１４に設けられる。このとき、ワイヤ１０２は、別途備えられたキャップ１３０を用いてケース１１０に設けられる。より詳細に説明すれば、キャップ１３０に形成されたガイド管１３４には、それぞれのワイヤ１０２が貫通する。キャップ１３０は、ケース１１０に形成された連結溝１１２に結合される。この結合は、先ず、キャップ１３０の下部の半円形状部位がケース１１０の連結溝１１２に挿入された後、最終的にキャップ１３０の結合溝１３２がケース１１０の連結溝１１２の縁部に嵌合されることによってなされる。
【００１７】
発光ダイオードアセンブリ１００は、ケース１１０に設けられたブラケット１１６の締結溝１１７に、スクリューなどのような締結手段を締めることによって照明看板１０４に設置される。また、発光ダイオードアセンブリ１００は、スクリューの代りに、接着剤または両面テープ等の多様な方法によって照明看板１０４に設置することができる。一方、発光ダイオードアセンブリ１００は、照明看板１０４の上面に直線形状またはジグザグ形状に配置することができる。それぞれの発光ダイオードアセンブリ１００は、ワイヤ１０２によって連結される。
【００１８】
次に、作業者は、ケース１１０内の収納室１１４に合成樹脂材、即ち、エポキシ樹脂を充填する。そうすれば、収納室１１４内に位置したプリント回路基板１２０、トランス１４０および発光ダイオード１２２は、エポキシ樹脂によって外部に露出しないようにカバーされる。
【００１９】
この状態で、発光ダイオード１２２は、ワイヤ１０２から交流電圧または直流電圧を供給される。
前者の場合、トランス１４０は、ワイヤ１０２から供給される商用交流電圧を、プリント回路基板１２０に設置された発光ダイオード１２２の駆動電圧に適合するように降下させる。かかる交流電圧は、整流回路を通して直流電圧となる。整流された直流電圧は、定電圧回路および定電流回路によって発光ダイオード１２２の駆動電圧に適合するように維持される。
後者の場合は、ワイヤ１０２から供給される直流電圧が、定電圧回路および定電流回路によって発光ダイオード１２２の駆動電圧に適合するように維持される。
【００２０】
以上、本発明を具体的な実施例に基づいて説明したが、本発明はこれらに限定されるものではなく、当業者の通常の知識の範囲内でその変形や改良が可能であるのは勿論である。
【図面の簡単な説明】
【００２１】
【図１】本発明の望ましい実施例による照明看板用発光ダイオードアセンブリを示す分解斜視図。
【図２】図１の照明看板用発光ダイオードアセンブリの組み立てられた状態を示す斜視図。
【図３】図２のＡ−Ａ線に沿った断面図。
【図４】図１の照明看板用発光ダイオードアセンブリの適用例を示す斜視図。
【符号の説明】
【００２２】
１００  発光ダイオードアセンブリ
１０２  ワイヤ
１０４  照明看板
１１０  ケース
１２０  プリント回路基板
１２２  発光ダイオード
１３０  キャップ
１４０  トランス
【図１】
2004310090.tif 000003
【図２】
2004310090.tif 000004
【図３】
2004310090.tif 000005
【図４】
2004310090.tif 000006